(57)【要約】【課題】野縁の変形を抑制し、野縁と野縁受けとの接合力を向上すること。【解決手段】野縁受けと、前記野縁受けの下面に当接する野縁との交差部に用いる接合金具において、前記野縁の長手方向と直交する垂直面に沿って延びる板状をなし、前記野縁受けの一方側部に当接する当接片部と、前記垂直面に沿って延びる板状をなし、前記当接片部から下方に延びて前記野縁の各側方に位置する一対の垂下片部と、を含む、ことを特徴とする。【選択図】図１
2015040464.tif 000002
【特許請求の範囲】
【請求項１】
野縁受けと、前記野縁受けの下面に当接する野縁との交差部に用いる接合金具において、
前記野縁の長手方向と直交する垂直面に沿って延びる板状をなし、前記野縁受けの一方側部に当接する当接片部と、
前記垂直面に沿って延びる板状をなし、前記当接片部から下方に延びて前記野縁の各側方に位置する一対の垂下片部と、を含む、
ことを特徴とする接合金具。
【請求項２】
野縁受けと、
溝開口部が上方を向いた溝形材からなり、前記野縁受けの下面に当接する野縁と、
を、その交差部において接合する接合金具において、
前記野縁受けを挟持する第一金物及び第二金物を備え、
前記第一金物は、
前記野縁の長手方向と直交する垂直面に沿って延びる板状をなし、前記野縁受けの一方側部に当接する第一当接片部と、
前記垂直面に沿って延びる板状をなし、前記第一当接片部から下方に延びて前記野縁の各側方に位置する一対の垂下片部と、
各々の前記垂下片部の内側端部において前記野縁の長手方向と平行に延びる板状の延設片部と、を含み、
前記第一当接片部と前記一対の垂下片部とは面一に構成され、
前記第二金物は、
前記野縁受けの他方側部に当接する第二当接片部と、
前記第二当接片部の下端から前記第一当接片部へ前記溝開口部を通過して延びる水平片部と、
前記水平片部の端部から起立して、前記一方端部側の前記当接片部の外側に位置する起立片部と、
前記水平片部に設けられ、前記溝開口部の周縁に係合する係合部と、を含む、
ことを特徴とする接合金具。
【請求項３】
前記第二当接片部と前記水平片部との隅角部、及び、前記水平片部と前記起立片部との隅角部の少なくともいずれか一方に、リブを形成した、
ことを特徴とする請求項２に記載の接合金具。
【発明の詳細な説明】
【技術分野】
【０００１】
本発明は野縁と野縁受けとを互いに接合する接合金具に関する。
【背景技術】
【０００２】
天井下地を構成する金属製の野縁及び野縁受けとして、溝形鋼に代表される溝形材を用いたものが知られている。野縁はその溝開口部が上方を向いた状態で野縁受けの下面に当接するように配置される。野縁と野縁受けとは互いに直交するように配設され、その交差部において接合金具により接合される。この種の接合金具は、一般に、野縁受けに固定される部分と、野縁の溝開口部周縁に係合する爪状の係合部とを備え、野縁受けから野縁を吊り下げるようにして両者を接合する（例えば特許文献１〜３）。
【先行技術文献】
【特許文献】
【０００３】
【特許文献１】特開２０１３−４４２０５号公報
【特許文献２】特開２０１２−１７２４８７号公報
【特許文献３】特開２００７−２３７３８号公報
【発明の概要】
【発明が解決しようとする課題】
【０００４】
野縁はその上部（溝開口部周縁）が支持位置となるため、地震や風荷重による慣性力を天井が受けた場合に、野縁や接合金具が変形する場合がある。野縁や接合金具が変形すると野縁と野縁受けとの間の接合力が低下する場合がある。
【０００５】
本発明の目的は、野縁の変形を抑制し、野縁と野縁受けとの接合力を向上することにある。
【課題を解決するための手段】
【０００６】
本発明によれば、例えば、野縁受けと、前記野縁受けの下面に当接する野縁との交差部に用いる接合金具において、前記野縁の長手方向と直交する垂直面に沿って延びる板状をなし、前記野縁受けの一方側部に当接する当接片部と、前記垂直面に沿って延びる板状をなし、前記当接片部から下方に延びて前記野縁の各側方に位置する一対の垂下片部と、を含む、ことを特徴とする接合金具が提供される。
【発明の効果】
【０００７】
本発明によれば、野縁の変形を抑制し、野縁と野縁受けとの接合力を向上することができる。
【図面の簡単な説明】
【０００８】
【図１】本発明の一実施形態に係る接合金具の使用態様を示す斜視図。
【図２】（Ａ）は図１の接合金具の分解斜視図、（Ｂ）及び（Ｃ）はリブの説明図。
【図３】（Ａ）は図１の線I-Iに沿う断面図、（Ｂ）は図３（Ａ）の線III-IIIに沿う断面図。
【図４】（Ａ）は野縁の変形態様の説明図、（Ｂ）は従来例の説明図、（Ｃ）は垂下片部による変形抑制効果の説明図。
【発明を実施するための形態】
【０００９】
図１〜図３を参照して本発明の一実施形態に係る接合金具の構成について説明する。図１は本発明の一実施形態に係る接合金具１の使用態様を示す斜視図、図２（Ａ）は接合金具１の分解斜視図、図３（Ａ）は図１の線I-Iに沿う接合金具１の断面図、図３（Ｂ）は図３（Ａ）の線III-IIIに沿う接合金具１の断面図である。図中、矢印Ｘ及びＹは互いに直交する水平方向、矢印Ｚは上下方向（垂直方向）を示しており、各方向は接合金具１の使用時を基準としている。
【００１０】
接合金具１は、野縁受け１００と野縁１１０とを接合する金具である。野縁受け１００と野縁１１０とは互いに直交するように水平に配設され、野縁受け１００は例えば吊りボルトにより天井躯体から吊り下げられる。野縁受け１００又は野縁１１０と天井躯体との間にはブレース材を設けてもよい。
【００１１】
野縁受け１００はＹ方向に延設されており、上板部１０１と下板部１０２とこれらを接続する側板部１０３とを備え、例えば、Ｃ形の溝形鋼であるが角筒材等であってもよい。野縁１１０はＸ方向に延設されており、野縁１１０は底板部１１１と一対の側板部１１２とを備え、溝開口部１１０ａが上方を向いた溝形材からなり、側板部１１２の上端部は内側に曲折されて溝開口部１１０ａの周縁１１２ａを画定すると共に、断面略逆Ｕ字型をなして接合金具１と係合する係合部を形成している。野縁１１０は例えば、Ｃ形のリップ溝形鋼である。野縁１１０は、周縁１１２ａが野縁受け１００の下面（下板部１０２）に当接して互いに上下に重なった状態に配置される。
【００１２】
接合金具１は、本実施形態の場合、金物１０と金物２０との二部材構成となっており、ボルト３０とナット３１とにより両者を締結することで野縁受け１００と野縁１１０とをこれらの交差部において接合する。
【００１３】
金物１０は、一枚の金属板から型抜き及び曲げ加工により一体に形成されており、締結片部１１と、当接片部１２と、一対の垂下片部１３と、一対の延設片部１４と、段差部１５と、を含む。締結片部１１は、野縁１１０の幅方向の垂直断面方向（Ｚ−Ｙ平面の面方向。以下同じ。）に延びる板状をなし、ボルト３０が挿通する孔１１ａが形成されている。
【００１４】
当接片部１２は、段差部１５を介して締結片部１１に接続されており、野縁１１０の幅方向の垂直断面方向に延びる板状をなしている。すなわち、当接片部１２は野縁１１０の長手方向と直交する垂直面に沿って延びている。
【００１５】
段差部１５は、締結片部１１と当接片部１２との間にＸ方向の段差を形成し、野縁受け１００の上板部１０１に当接する水平板状をなしている。金物２０の構成次第で段差部１５を省略し、締結片部１１と当接片部１２とを面一に構成することも可能である。
【００１６】
当接片部１２には野縁受け１００の一方側部が当接する。本実施形態の場合、当接片部１２は野縁受け１００の溝開口部側に位置しており、上板部１０１及び下板部１０２の端縁が当接しているが、側板部１０３側が当接する構成としてもよい。
【００１７】
一対の垂下片部１３は、互いにＹ方向に離間して当接片部１２に接続されており、野縁１１０の幅方向の垂直断面方向に当接片部１２から下方に延びる板状をなしている。すなわち、一対の垂下片部１３は野縁１１０の長手方向と直交する垂直面に沿って延びている。
【００１８】
当接片部１２と一対の垂下片部１３とは全体として、下部中央が切り欠かれた門型をなしており、一対の垂下片部１３間を野縁１１０が挿通する。このため、一対の垂下片部１３は、それぞれ、野縁１１０の側板部１１２の側方に位置している。
【００１９】
垂下片部１３は、後述する野縁１１０の変形抑制の点で、側板部１１２のＺ方向中央部よりも下方まで延設されることが好ましく、更に、側板１１２の下端（底板部１１１）よりも下方まで延設されることが好ましい。本実施形態の場合、当接片部１２と一対の垂下片部１３とは面一に構成されているが、当接片部１２と一対の垂下片部１３との間に段差部１５のような曲折部を介在させてもよい。ただし、面一に構成する方が、金物１０の曲折加工数を低減することができる。
【００２０】
延設片部１４は、垂下片部１３毎に設けられており、垂下片部１３の内側端部（Ｙ方向で側板部１１２側の端部）において野縁１１０の長手方向（Ｘ方向）と平行に延びる板状をなしている。延設片部１４を設けたことにより、垂下片部１３と野縁１１０との間の水平慣性力の伝達を分散できる。本実施形態では、延設片部１４は垂下片部１３の内側端部からＸ方向の一方のみに延設しているが、Ｘ方向の双方向に延設されるように構成してもよい。ただし、Ｘ方向の一方のみに延設する構成の方が、金物１０の加工上では有利な場合がある。
【００２１】
金物２０は、一枚の金属板から型抜き及び曲げ加工により一体に形成されており、締結片部２１と、当接片部２２と、水平片部２３と、起立片部２４と、一対の係合部２５と、段差部２６と、を含む。締結片部２１は、野縁１１０の幅方向の垂直断面方向に延びる板状をなし、ボルト３０が挿通する孔２１ａが形成されている。
【００２２】
当接片部２２は、段差部２６を介して締結片部２１に接続されており、野縁１１０の幅方向の垂直断面方向に延びる板状をなしている。段差部２６は、締結片部２１と当接片部２２との間にＸ方向の段差を形成し、野縁受け１００の上板部１０１に当接する水平板状をなしている。金物１０の構成次第で段差部２６を省略し、締結片部２１と当接片部２２とを面一に構成することも可能である。
【００２３】
当接片部２２には野縁受け１００の他方側部が当接する。本実施形態の場合、当接片部２２は野縁受け１００の側板部１０３側に位置しており、側板部１０３が面で当接しているが、野縁受け１００の溝開口部側が当接する構成としてもよい。ボルト３０とナット３１との締結により、野縁受け１００は当接片部１２と当接片部１３とに挟持され、接合金具１が固定される。
【００２４】
水平片部２３は、当接片部２２の下端から金物１０の当接片部１２側へ野縁１１０の水平断面方向（Ｘ−Ｙ平面の面方向。）に延びる板状をなしている。水平片部２３は、野縁１１０の底板部１１１の幅（係合部１１２ａ間の距離）よりも幅狭であり、溝開口部１１０ａを通過して延びＸ方向に延びている。
【００２５】
起立片部２４は、水平片部２３の端部から起立して、野縁１１０の幅方向の垂直断面方向に延びる板状をなしている。起立片部２４は金物１０の当接片部１２の外側（野縁受け１００と反対側）に位置している。野縁受け１００は、その周囲が、段差部１５及び２６、当接片部１２及び２２並びに水平片部２３で囲包され、かつ、起立片部２４が当接片部１２の外側に位置して、金物１０と金物２０との開き止めとなっている。よって、ボルト３０とナット３１との締結により接合金具１と野縁受け１００との固定を強固なものとし、野縁受け１００の抜け止めや回り止め効果を向上する。
【００２６】
図２（Ａ）に示すように、水平片部２３と起立片部２４との間の隅角部ＣＲや、当接片部２２と水平片部２３との間の隅角部ＣＲには、少なくとも一方に、補強用のリブを形成してもよい。図２（Ｂ）はその一例を示しており、リブＲＢを設けた隅角部ＣＲを外側から見た斜視図であり、図２（Ｃ）は図２（Ｂ）の線II-IIに沿う断面図である。同図のリブＲＢは、隅角部ＣＲをその外側から凹状に変形して形成された三角形状のリブである。このようなリブＲＢを例えば水平片部２３と起立片部２４との間の隅角部ＣＲに形成すると、水平片部２３と起立片部２４とが開くことを防止できる。当接片部２２と水平片部２３とについても同様である。
【００２７】
次に、係合部２５について説明する。係合部２５は、水平片部２３の側部（Ｙ方向の両端縁）から起立して形成されており、図３（Ｂ）に示すように野縁１１０の係合部１１２ａと係合する。このように野縁１１０は接合金具１を介して野縁受け１００から吊り下げられるようにして野縁受け１００に接合されることになる。
【００２８】
次に、係る構成からなる接合金具１の耐震補強機能について説明する。本実施形態のように、野縁１１０の係合部１１２ａと係合する形式の接合金具を利用した場合、地震や風荷重により、水平慣性力が天井に作用すると、図４（Ａ）に示すように、野縁１１０はその上部に支持位置が存在する一方、底板部１１１に天井板（不図示）が固定されることから、その幅方向に変形する場合がある。これにより、側板部１１２や係合部１１２ａが開いたり、接合金具自体が変形すると、野縁１１０と野縁受け１１０との接合力が低下する。
【００２９】
従来例として、例えば、図４（Ｂ）に示すように断面Ｃ字型の金物２００を野縁１１０の上から装着したものがあるが、上部２０１と側部２０２との隅角部に応力が集中して側部２０２が開いてしまう場合がある。
【００３０】
これに対して本実施形態の接合金具１では、垂下片部１３及びこれが接続される当接片部１２を、野縁１１０の幅方向の垂直断面方向に延びる板状としたので、応力が集中するような隅角部がなく、図４（Ｃ）に示すように野縁１１０に対する変形抑制効果を向上できる。また、本実施形態では、垂下片部１３に延設片部１４が設けられているので、野縁１１０の底板部１１１に近い位置で、水平慣性力を野縁１１０の側板部１１２に伝達することができ、接合金具１と野縁１１０の側板部１１２との間での水平慣性力の伝達を分散でき、変形抑制効果を更に向上できる。
【００３１】
以上の通り、本実施形態の接合金具１によれば、野縁１１０の変形を抑制し、野縁１１０と野縁受け１００との接合力を向上することができる。
【図１】
2015040464.tif 000003
【図２】
2015040464.tif 000004
【図３】
2015040464.tif 000005
【図４】
2015040464.tif 000006